(57)【要約】【課題】携帯性に優れたペーパーライクな表示装置を提供すること。【解決手段】表示体(1)とコントローラ部(2)と通信ケーブル(3)を備える表示装置であって、コントローラ部は、電力を発生する電源部(20,21)と、メモリ(22)と、第１通信部(25)と、メモリからデータを読み出して第１通信部を介して表示体へ送るとともに、電源部が発生する電力の一部を第１通信部を介して表示部へ送る制御部(26)とを含み、表示体は、パネル(10)と、第２通信部(11)と、コントローラ部から通信ケーブルを通じて第２通信部により受け取ったデータに基づいてパネルに駆動信号を供給する駆動回路部(12,13)と、コントローラ部から通信ケーブルを通じて第２通信部により受け取った電力に基づいて駆動回路部へ電力供給を行う電源回路(14)と、を含む、表示装置である。【選択図】図２
2010026291.tif 000002
【特許請求の範囲】
【請求項１】
表示体と、コントローラ部と、前記表示体と前記コントローラ部とを相互に接続する通信ケーブルと、を備え、
前記通信ケーブルは、
データ通信用の第１配線と、
電力供給用の第２配線と、
を含み、
前記コントローラ部は、
電力を発生する電源部と、
画像表示に必要なデータを格納するメモリと、
第１通信部と、
前記電源部、前記メモリ及び前記第１通信部の各々と接続されており、前記メモリに格納された前記データを読み出して前記第１通信部を介して前記表示体へ送るとともに、前記電源部が発生する電力の一部を前記第１通信部を介して前記表示部へ送る制御部と、
を含み、
前記表示体は、
複数の電気光学素子を有するパネルと、
第２通信部と、
前記コントローラ部から前記通信ケーブルを通じて前記第２通信部により受け取った前記データに基づいて前記パネルに駆動信号を供給する駆動回路部と、
前記コントローラ部から前記通信ケーブルを通じて前記第２通信部により受け取った電力に基づいて前記駆動回路部へ電力供給を行う電源回路と、
を含む、表示装置。
【請求項２】
前記複数の電気光学素子の各々が電気泳動素子である、
請求項１に記載の表示装置。
【請求項３】
前記表示体は、前記駆動回路部と接続されており、前記コントローラ部から送られた前記データを一時的に格納する一時メモリを更に備える、
請求項１又は２に記載の表示装置。
【請求項４】
前記コントローラ部の前記メモリが着脱自在に構成された、
請求項１乃至３の何れか１項に記載の表示装置。
【発明の詳細な説明】
【技術分野】
【０００１】
本発明は、電気泳動装置等の電気光学装置を用いて構成される表示装置に関する。
【背景技術】
【０００２】
携帯性に優れたペーパーライクな表示装置を実現する手段の一つとして、電気泳動装置が注目されている（例えば、特許文献１参照）。一般的な電気泳動装置は、内蔵メモリに外部から通信ケーブルを介してコンテンツデータを供給し、あるいは着脱自在なメモリ媒体を用いてコンテンツデータが供給されていた。しかしながら、それぞれ専用のインタフェース（処理回路、コネクタ等）を電気泳動装置に搭載する必要があるため、電気泳動装置の筐体への制約が大きい。また、内蔵メモリを用いる場合には、このメモリの記憶容量によりコンテンツデータの格納量が決定するため、データ容量への対応が柔軟ではなかった。電源に関しても、製品として想定する使用時間を満足する容量の電源を搭載する必要があり、製品がより重くなり、大きくなるといったデメリットが発生していた。このようなことから、従来例では、機能の充実化は、携帯性やペーパーライクな筐体を実現することの妨げとなっていた。なお、このような不都合は、ペーパーライクな表示装置を実現する手段として、他の電気光学装置（液晶装置、ＥＬ装置等）を採用した場合でも同様である。
【０００３】
【特許文献１】特開２００７−１３３２０３号公報
【発明の開示】
【発明が解決しようとする課題】
【０００４】
本発明に係る具体的態様は、携帯性に優れたペーパーライクな表示装置を提供することを一つの目的とする。
【課題を解決するための手段】
【０００５】
本発明に係る表示装置は、表示体と、コントローラ部と、前記表示体と前記コントローラ部とを相互に接続する通信ケーブルと、を備える。前記通信ケーブルは、データ通信用の第１配線と、電力供給用の第２配線と、を含む。前記コントローラ部は、電力を発生する電源部と、画像表示に必要なデータを格納するメモリと、第１通信部と、前記電源部、前記メモリ及び前記第１通信部の各々と接続されており、前記メモリに格納された前記データを読み出して前記第１通信部を介して前記表示体へ送るとともに、前記電源部が発生する電力の一部を前記第１通信部を介して前記表示部へ送る制御部と、を含む。前記表示体は、複数の電気光学素子を有するパネルと、第２通信部と、前記コントローラ部から前記通信ケーブルを通じて前記第２通信部により受け取った前記データに基づいて前記パネルに駆動信号を供給する駆動回路部と、前記コントローラ部から前記通信ケーブルを通じて前記第２通信部により受け取った電力に基づいて前記駆動回路部へ電力供給を行う電源回路と、を含む。
【０００６】
上述した表示装置においては、表示体とコントローラ部とに分割し、これらの相互間をデータ通信及び電力伝送が可能な通信ケーブルによって接続する構成を採用している。これにより、表示体には、電池等の電源発生手段を搭載する必要がなく、構成が簡素化される。表示体に備わった第２通信部、駆動回路部、電源回路は、例えばワンチップ化する等による構成の大幅な簡素化が可能となるため、極薄、軽量で狭額縁化されたペーパーライクな表示体が実現される。また、防水、防湿構造や堅牢構造の作り込みが容易になる。一方、コントローラ部に関しては、電源部や第１通信部、制御部、メモリを搭載した筐体（例えば、箱のような構造）を作り込むことで表示装置全体の携帯性が飛躍的に優れたものとなる。例えば、コントローラ部は衣服のポケットに入れておき、軽量薄型な表示体だけを手にとって、書籍等の画像の表示を見ることができる。従って、本発明によれば、携帯性に優れたペーパーライクな表示装置を提供することが可能となる。
【０００７】
上述したパネルに含まれる複数の電気光学素子の各々は、例えば電気泳動素子とすることができる。
【０００８】
それにより、リフレッシュ動作が不要で間欠的な動作が可能であり消費電力が極めて低く、また柔軟性に優れたパネルが実現される。
【０００９】
また、上述した表示体は、前記駆動回路部と接続されており、前記コントローラ部から送られた前記データを一時的に格納する一時メモリを更に備えてもよい。
【００１０】
それにより、例えば次のページを表示するための画像データを格納しておくことが可能となり、表示装置の動作をより軽快にすることができる。
【００１１】
また、上述したコントローラ部のメモリは、着脱自在に構成されてもよい。
【００１２】
それにより、メモリを適宜差し替えることによって画像表示用データを交換することが可能となり、利便性が向上する。
【発明を実施するための最良の形態】
【００１３】
以下、本発明の実施の形態について図面を参照しながら説明する。
【００１４】
図１は、一実施形態の表示装置の全体構成を示す模式図である。図１に示すように、本実施形態に係る表示装置１００は、表示体１と、コントローラ部２と、表示体１とコントローラ部２とを相互に接続する通信ケーブル３と、を含んで構成されている。表示体１は、電気泳動パネルを用いて構成されたフレキシブルなものであり、通信ケーブル３を介してコントローラ部２からデータ及び電力の供給を受けて種々の画像を表示する。なお、表示体１は、フレキシブルなものに限られず、一定の硬度を有し、外力あるいは自重に対して変形しない構成であってもよい。
【００１５】
図２は、表示装置の詳細な構成を示すブロック図である。図２に示すように、表示体１は、パネル１０、通信部（Ｉ／Ｆ）１１、制御部１２、ドライバ１３、昇圧電源回路１４、一時メモリ１５を含んで構成されている。なお、制御部１２及びドライバ１３が「駆動回路部」に相当する。また、コントローラ部２は、電源供給部２０、電源回路２１、メモリ２２、操作部２３、モニタ２４、通信部（Ｉ／Ｆ）２５、制御部２６、外部通信部（Ｉ／Ｆ）２７を含んで構成されている。なお、電源供給部２０及び電源回路２１が「電源部」に相当する。また、通信ケーブル３は、データ通信用の第１配線３０と、電力供給用の第２配線３１とを含んで構成されている。
【００１６】
パネル１０は、複数の電気光学素子を有し、ドライバ１３から供給される駆動信号に応じて画像を表示する。図３に、パネル１０の構成例（回路図）を示す。図３に示すように、パネル１０は、マトリクス状に配列された複数の画素部５０を有する。各画素部５０は、トランジスタ５１と、電気光学素子の一例としての電気泳動素子５２と、容量素子５３を含んで構成される。各トランジスタ５１は、走査線５４とデータ線５５の各交点に配置されており、ゲートが走査線５４と接続され、ソースがデータ線５５と接続され、ドレインが電気泳動素子５２の一方端子と接続されている。電気泳動素子５２の他方端子には、例えば所定の基準電位が与えられる。容量素子５３は、一方端子がトランジスタ５１のドレインに接続されている。容量素子５３の他方端子は、例えば電気泳動素子５２の他方端子と共通の基準電位が与えられる。
【００１７】
通信部１１は、表示体１がコントローラ部２との間でデータ通信を行うための通信制御と、表示体１がコントローラ部２から電力供給を受けるための制御とを実行する。詳細には、通信ケーブル３の第１配線３０は、例えば一対の配線（Ｄ＋、Ｄ−）を含んでおり、当該第１配線３０を用いることによりデータ通信（差動伝送）が行われる。また、通信ケーブル３の第２配線３１は、例えば一対の配線（ＶＣＣ、ＧＮＤ）を含んでおり、当該第２配線３１を用いることにより電力伝送が行われる。
【００１８】
制御部１２は、画像信号処理回路およびタイミングジェネレータを含んでいる。画像信号処理回路は、通信部１１によってコントローラ部２から受信したデータに基づいて画像データを生成し、ドライバ１３へ出力する。タイミングジェネレータは、リセット設定や画像データが画像信号処理回路から出力されるときに、ドライバ１３を制御するための各種タイミング信号を生成する。
【００１９】
ドライバ１３は、上記した各走査線５４に制御信号を供給する走査線駆動回路と、各データ線５５にデータ信号を供給するデータ線駆動回路とを含んでいる。
【００２０】
昇圧電源回路１４は、コントローラ部２から通信ケーブル３を通じて通信部１１により受け取った電力に基づいて、制御部１２、ドライバ１３等の各部へ電力を供給する。すなわち、本実施形態では、表示体１には電池等の電源供給部が備わっておらず、コントローラ部２から供給される電力を用いて表示体１が動作する。
【００２１】
一時メモリ１５は、通信部１１によって受信されたデータ等を一時的に格納する。
【００２２】
電源供給部２０は、例えば充電式の電池などであり、電力を発生する。この電源供給部２０によって発生された電力に基づいて、電源回路２１がコントローラ部２の各部へ電力を供給する。
【００２３】
メモリ２２は、表示体１における画像表示に必要なデータ（コンテンツデータ）を格納する。このメモリ２２は、コントローラ部２に内蔵されるように構成されてもよいし、着脱自在に構成されてもよい。
【００２４】
操作部２３は、タッチセンサ、押しボタン等の入力デバイスを備えており、利用者が動作指示を入力するために用いられる。
【００２５】
モニタ２４は、例えば液晶表示装置やＥＬ表示装置などで構成されており、表示装置１００の動作状態等に関する情報（例えば、バッテリー残量、現在表示しているページの番号等）を表示する。あるいは、モニタ２４は、表示体１のパネル１０において表示されるべき画像のプレビューモニタとして機能させてもよい。
【００２６】
通信部２５は、コントローラ部２が表示体１との間でデータ通信を行うために通信制御と、コントローラ部２へ電力供給を行うための制御とを実行する。
【００２７】
制御部２６は、電源回路２１、メモリ２２、操作部２３、モニタ２４、通信部２５、外部Ｉ／Ｆ２７の各々と接続されている。制御部２６は、操作部２３から入力される信号（利用者の動作指示に対応した信号）に基づいて、メモリに格納されたコンテンツデータを適宜読み出し、通信部２５を介して表示体１へ送る処理を実行する。また、制御部２６は、電源回路２１が発生する電力の一部を、通信部２５を介して表示体１へ送る処理を実行する。
【００２８】
外部インタフェース（Ｉ／Ｆ）２７は、例えば図示しない外部のパーソナルコンピュータ等とコントローラ部２との間をデータ通信可能に接続するために用いられるものである。例えば、この外部Ｉ／Ｆ２７を介して外部のパーソナルコンピュータ等からコントローラ部２のメモリ２２にコンテンツデータを書き込むことができる。
【００２９】
以上に説明したように、本実施形態の表示装置においては、表示体とコントローラ部とに分割し、これらの相互間をデータ通信及び電力伝送が可能な通信ケーブルによって接続する構成を採用している。これにより、表示体には、電池等の電源発生手段を搭載する必要がなく、構成が簡素化される。表示体に備わった通信部、制御部、ドライバ、昇圧電源回路は、例えばワンチップ化する等による構成の大幅な簡素化が可能となるため、極薄、軽量で狭額縁化されたペーパーライクな表示体が実現される。また、防水、防湿構造や堅牢構造の作り込みが容易になる。一方、コントローラ部に関しては、電源供給部、電源回路、通信部、制御部等を搭載した筐体（例えば、箱のような構造）を作り込むことで表示装置全体の携帯性が飛躍的に優れたものとなる。例えば、コントローラ部は衣服のポケットに入れておき、軽量薄型な表示体だけを手にとって、書籍等の画像の表示を見ることができる。従って、本実施形態によれば、携帯性に優れたペーパーライクな表示装置を提供することが可能となる。
【００３０】
なお、本発明は上述した実施形態の内容に限定されるものではなく、本発明の要旨の範囲内において種々に変形して実施をすることが可能である。例えば、上述した実施形態では、パネル１０に含まれるべき電気光学素子の一例として電気泳動素子を示したが、電気光学素子はこれに限定されない。他には、例えば液晶素子、ＥＬ素子等を電気光学素子として採用し得る。また、外部Ｉ／Ｆの規格化により、パーソナルコンピュータや携帯電話等の外部装置にもアプリケーションを搭載することで汎用性を実現することができる。これにより、例えばネットワークを介して配信されるコンテンツデータを受信し、表示するアプリケーションが実現する。また、携帯電話等の入力機能を用いることで表示体へ任意の文字等を書き込むこともできる。
【図面の簡単な説明】
【００３１】
【図１】一実施形態の表示装置の全体構成を示す模式図である。
【図２】表示装置の詳細な構成を示すブロック図である。
【図３】パネルの構成例を示す回路図である。
【符号の説明】
【００３２】
１…表示体、２…コントローラ部、３…通信ケーブル、１０…パネル、１１…通信部（Ｉ／Ｆ）、１２…制御部、１３…ドライバ、１４…昇圧電源回路、１５…一時メモリ、２０…電源供給部、２１…電源回路、２２…メモリ、２３…操作部、２４…モニタ、２５…通信部（Ｉ／Ｆ）、２６…制御部、２７…外部通信部（Ｉ／Ｆ）２７、３０…第１配線、３１…第２配線
【図１】
2010026291.tif 000003
【図２】
2010026291.tif 000004
【図３】
2010026291.tif 000005